(57)【要約】      （修正有）【課題】大幅なコストアップにならず、一升瓶の瓶口から栓を容易に抜くことができる一升瓶の栓を提供する。【解決手段】栓１０は、略有底円筒状であり、上端開口の周囲に外周側へ突出するフランジ部１１１を有し、底１１２側が一升瓶の瓶口に挿入される樹脂製の栓本体１１と、栓本体１１の上端開口とフランジ部１１１の上側面を被覆し、少なくとも栓本体１１の上端開口を被覆する上面１２１と、それよりも外周側であり上面１２１よりも高さが低い縁部１２２とを有し、縁部１２２の少なくとも一部に取り付けられ、開栓時に指を掛ける指掛け部１３と、指掛け部１３を天板部１２の縁部１２２に固定する接着剤層１４とを備える。【選択図】図１
0003202155.tif 000002
【実用新案登録請求の範囲】
【請求項１】
略有底円筒状であり、上端開口の周囲に外周側へ突出するフランジ部を有し、前記フランジ部よりも底側が一升瓶の瓶口に挿入される樹脂製の栓本体と、
前記栓本体の前記上端開口と前記フランジ部の上側面を被覆し、少なくとも前記栓本体の前記上端開口を被覆する上面と、前記上面の外周側に形成され前記上面よりも高さが低い縁部とを有する天板部と、
前記縁部の少なくとも一部に取り付けられ、開栓時に指を掛ける指掛け部と、
前記指掛け部を前記天板部の縁部に固定する固定部と、
を備える一升瓶の栓。
【請求項２】
請求項１に記載の一升瓶の栓において、
該栓及び該栓が差し込まれる一升瓶の瓶口部分を覆う冠頭内に、前記指掛け部が収納されること、
を特徴とする一升瓶の栓。
【請求項３】
請求項１又は請求項２に記載の一升瓶の栓において、
前記指掛け部は、一升瓶の首部に延出する延出部を備えること、
を特徴とする一升瓶の栓。
【請求項４】
請求項１から請求項３までのいずれか１項に記載の一升瓶の栓において、
前記固定部は、接着剤層であること、
を特徴とする一升瓶の栓。
【請求項５】
請求項１から請求項４までのいずれか１項に記載の一升瓶の栓において、
前記固定部は、ビス又はリベットであること、
を特徴とする一升瓶の栓。
【考案の詳細な説明】
【技術分野】
【０００１】
本考案は、日本酒等の酒類や、醤油、みりん等の調味料等が充填される一升瓶の栓に関するものである。
【背景技術】
【０００２】
一升瓶は、開封時に、栓の天板部を摘んで栓本体部を一升瓶の瓶口から引き抜くようにしている。しかし、従来の栓は、天板部に力が入りにくく、一升瓶の瓶口からの引き抜きが困難であり、開封作業が面倒であるという問題があった。
この問題を解決するために、栓の天板部の径よりも大きな摘み部材を差し込み、瓶口から栓本体を抜くことができる瓶用栓が提案されている（例えば、特許文献１）。
【先行技術文献】
【特許文献】
【０００３】
【特許文献１】特開平８−９１３９８号公報
【考案の概要】
【考案が解決しようとする課題】
【０００４】
しかし、前述した従来の一升瓶の栓は、栓とは別部材の摘み部材を瓶に付属させるので、包装等に余分な材料や手間がかかり、製造や流通段階で大幅なコストアップにつながるという課題があった。
【０００５】
本考案の目的は、大幅なコストアップにならず、一升瓶の瓶口から栓を容易に抜くことができる一升瓶の栓を提供することである。
【課題を解決するための手段】
【０００６】
請求項１の考案は、略有底円筒状であり、上端開口の周囲に外周側へ突出するフランジ部（１１１）を有し、前記フランジ部よりも底（１１２）側が一升瓶の瓶口に挿入される樹脂製の栓本体（１１）と、前記栓本体の前記上端開口と前記フランジ部の上側面を被覆し、少なくとも前記栓本体の前記上端開口を被覆する上面（１２１）と、前記上面の外周側に形成され前記上面よりも高さが低い縁部（１２２）とを有する天板部（１２）と、前記縁部の少なくとも一部に取り付けられ、開栓時に指を掛ける指掛け部（１３，２３，３３）と、前記指掛け部を前記天板部の縁部に固定する固定部（１４，２４）と、を備える一升瓶の栓（１０，２０，３０）である。
請求項２の考案は、請求項１に記載の一升瓶の栓において、該栓及び該栓が差し込まれる一升瓶（４０）の瓶口（４１）部分を覆う冠頭（４３）内に、前記指掛け部（１３，２３，３３）が収納されること、を特徴とする一升瓶の栓（１０，２０，３０）である。
請求項３の考案は、請求項１又は請求項２に記載の一升瓶の栓において、前記指掛け部（３３）は、一升瓶の首部（４２）側に延出する延出部（３３２）を備えること、を特徴とする一升瓶の栓（３０）である。
請求項４の考案は、請求項１から請求項３までのいずれか１項に記載の一升瓶の栓において、前記固定部は、接着剤層（１４）であること、を特徴とする一升瓶の栓（１０）である。
請求項５の考案は、請求項１から請求項４までのいずれか１項に記載の一升瓶の栓において、前記固定部は、ビス又はリベット（２４）であること、を特徴とする一升瓶の栓（２０）である。
【考案の効果】
【０００７】
本考案によれば、大幅なコストアップにならず、一升瓶の瓶口から栓を容易に抜くことができる一升瓶の栓を提供することができる。
【図面の簡単な説明】
【０００８】
【図１】本考案による一升瓶の栓の第１実施形態を示す図である。
【図２】第１実施形態の使用例を示す図である。
【図３】第１実施形態の使用例を示す図である。
【図４】本考案による一升瓶の栓の第２実施形態を示す図である。
【図５】本考案による一升瓶の栓の第３実施形態を示す図である。
【図６】本考案による一升瓶の栓の第３実施形態を示す図である。
【図７】従来の一升瓶の栓の開栓時の様子を示す図である。
【考案を実施するための形態】
【０００９】
以下、本考案の実施形態について、図面等を用いて、さらに詳しく説明する。なお、図１を含め、以下に示す各図は、模式的に示した図であり、各部の大きさ、形状は、理解を容易にするために、適宜誇張している。
（第１実施形態）
図１は、本考案による一升瓶の栓の第１実施形態を示す図である。
一升瓶の栓１０は、栓本体１１と、天板部１２と、指掛け部１３と、接着剤層１４と、スポット部１５等とを備えた略円柱状の部材である。栓１０は、未開封時には、一部が瓶内に挿入され、一升瓶の瓶口及び栓１０を保護する不図示の冠頭に覆われている。
なお、理解を容易にするために、栓１０の長手方向において、瓶内に挿入される側を下側、瓶外に位置する側を上側として説明する。
【００１０】
栓本体１１は、一升瓶４０の瓶口４１（後述の図３参照）に挿入される部分であり、略有底円筒状の部材である。
栓本体１１は、上端の開口の周囲に、外周側へ突出したフランジ部１１１を有している。このフランジ部１１１は、閉栓時に、瓶口の周縁上に位置する部分であり、これよりも下側（底１１２側）は、閉栓時には瓶口から瓶内部に差し込まれた状態となる。
フランジ部１１１は、その上側の面の外周側端部となるフランジ縁部１１１ａが、それより内周側の部分よりも高さが低くなるように段が形成されている。
この栓本体１１は、例えば、ポリエチレン等の樹脂により成形されている。
【００１１】
天板部１２は、栓本体１１の上端の開口及びフランジ部１１１の上側面及び外周側を被覆し、栓１０の天面部分を形成する部材であり、シート状の部材により形成されている。
この天板部１２は、フランジ部１１１の上側面に対応する部分では、そのフランジ部１１１の形状に追従して被覆しており、フランジ部１１１のフランジ縁部１１１ａに対応する縁部１２２と、それより内周側となる栓本体１１の上端開口等を被覆する上面１２１とを有している。天板部１２の縁部１２２は、上面１２１よりも高さが低く、縁部１２２と上面１２１との間には段が形成されている。
天板部１２は、例えば、防錆処理が施されたブリキやアルミ等の金属により形成されている。この天板部１２は、上面１２１の表面に清酒の銘柄や製造元等の名称やロゴ等が印刷されていてもよい。
【００１２】
指掛け部１３は、天板部１２の縁部１２２上に取り付けられた樹脂製のリング状の部材であり、少なくとも一部（本実施形態では、半周分）が縁部１２２に、後述する接着剤層１４により接合され、固定されている。
指掛け部１３の厚さは、縁部１２２と上面１２１との高さの差（フランジ部１１１の段の高さ）に等しい、もしくは、略等しい。また、指掛け部１３の幅は、縁部１２２の幅に等しい、もしくは、略等しく、指掛け部１３が縁部１２２よりも外側へ大きく突出することはない。
【００１３】
指掛け部１３は、開栓時に、指掛け部１３の天板部１２の縁部１２２に固定されていない部分を持ち上げ、天板部１２とこの持ち上げた部分との間に形成された開口に指先を入れる等して、指掛け部１３に指を掛けて引っ張ったり、指掛け部１３の天板部１２に固定されていない部分を摘まんで引っ張ったりすることができる。
そして、指掛け部１３は、その一部に指を掛けて引っ張る、又は、摘まんで引っ張ったりしたときに破断しない十分な強度を有している。
このような指掛け部１３を成形する樹脂は、例えば、ポリエチレンやポロプロピレン等が好ましく用いられる。
【００１４】
指掛け部１３は、その色については、特に限定しないが、その色意匠性を高める観点から、天板部１２の色と合わせる、又は、天板部１２と調和する色とし、例えば、金ラメ・メタリック、プラチナラメ・メタリック、ブラウンラメ・メタリック、ピンクラメ・メタリック、ブルーラメ・メタリック、ベージュラメ・メタリック、ブラックラメ・メタリック、レッドラメ・メタリック等に着色されていてもよい。
また、指掛け部１３は、天板部１２の上面１２１等に印刷されたロゴ等とのデザイン面での調和を図る色等としてもよい。
【００１５】
接着剤層１４は、指掛け部１３の一部を天板部１２の縁部１２２に接合し、固定する固定部であり、接着剤により形成されている。
日本酒を保存する場合、保存条件として、光（特に紫外線）があたらず、低温で温度変化のないことが必要である。日本酒は、その種類・製造方法によっても多少異なるが、瓶に充填し、閉栓後、５〜６℃の環境下で１〜３年保存する場合がある。
したがって、接着剤層１４に用いられる接着剤は、このような温度下で長期保存した場合にも劣化しないことが必要である。このため、接着剤層１４には、例えば、耐寒性や耐久性を有するシリコーン系やエポキシ系接着剤等が好ましく用いられる。
【００１６】
スポット部１５は、栓本体１１の下端（底１１２）に、熱融着等により接合されたフィルム状の部材である。このスポット部１５は、熱充填直後や消費段階での開封後の貯蔵中に、栓が飛ぶのを防止するために設けられている。
スポット部１５は、例えば、接液側から栓本体１１側へ順に、ポリエチレンテレフタレート（ＰＥＴ）層、ドライラミネート層、アルミニウム箔層、アンカーコート（ＡＣ）層、ポリエチレン（ＰＥ）層が積層されたフィルムを使用することができる。なお、スポット部１５の層構成は、上記に限らず、例えば、ＰＥＴ層とドライラミネート層との間に金色に発色する不図示の着色層等を設けて、意匠性を向上させてもよい。
【００１７】
次に、本考案による一升瓶の栓１０の実施形態の使用例を説明する。
図２、図３は、第１実施形態の使用例を示す図である。
図７は、従来の一升瓶の栓の開栓時の様子を示す図である。
図７に示すように、従来の栓５０では、天板部１２に被覆されたフランジ部１１１を指で摘まんで引き抜いたり、指でフランジ部１１１を下側から押し上げる等してフランジ部１１１と瓶口４１の周縁上側とを離間させた後、栓５０を摘まんで引き抜いたりして開栓していた。一般に、未開封時には、一升瓶４０は、瓶口を栓５０で閉栓した状態で、瓶口及びせん５０を覆う不図示の冠頭によって覆われている。そのため、フランジ部１１１の外径は、瓶口の径と等しいが、わずかに大きい程度であり、指の引っ掛かりが小さく、このような開栓作業は、困難な場合があった。特に、力の弱い高齢者や、爪にネイルアート等を施している女性等には、このような開栓作業は、面倒であったり、困難であったりした。
【００１８】
これに対して、本実施形態の栓１０は、図２に示すように、例えば、指掛け部１３の天板部１２に接合されていない部分を矢印Ａの方向に持ち上げ、図３に示すように、その指掛け部１３と天板部１２との間の開口に指を入れるようにして指掛け部１３に指を掛け、上方に引き上げることができる。これにより、栓１０の栓本体１１が容易に瓶口４１から抜け、容易に開栓することができる。
また、閉栓時は、従来の栓５０での閉栓時と同様に、瓶口４１に栓本体１１の底１１２を軽く差し込み、フランジ部１１１の下側の面と瓶口４１の周縁部が接するまで、天板部１２の上面１２１を上から数回軽く叩いて押し込む等することにより、容易に閉栓できる。
【００１９】
よって、本実施形態によれば、指掛け部１３に指を掛けて上方へ引くことで、容易に栓１０を抜くことができる。
また、本実施形態によれば、指掛け部１３は、天板部１２の縁部１２２に収まるように設けられているので、未開封時に瓶口４１や栓１０を覆う冠頭内に収まり、既存の設備に少しの改良をするだけで、安価に製造することができる。また、流通・展示販売の形態も、従来と変わらないので、コストアップにつながることはない。
一般的に、一升瓶の場合、１０回程度、栓１０の抜き差しを行うことは普通である。本実施形態の指掛け部１３や接着剤層１４は、その程度の使用頻度に耐え得る十分な強度を有しており、開栓時の破断や剥離の可能性は低い。
また、本実施形態によれば、日本酒を入れた一升瓶４０を低温で１年以上保存しても、接着剤層１４が劣化することはなく、低温化での長期保存後にも開栓を容易に行うことができる。
また、本実施形態によれば、閉栓に関しても、特別な道具等を要することなく、容易に行える。
【００２０】
（第２実施形態）
図４は、本考案による一升瓶の栓２０の第２実施形態を示す図である。
以下に説明する第２実施形態及び第３実施形態において、前述の第１実施形態と同様の機能を果たす部分には、同一の符号又は末尾に共通した符号を付して、重複する説明を省略する。
第２実施形態の栓２０では、指掛け部２３は、半円弧状であり、周方向の両端部に設けられた樹脂リベット２４により、天板部１２の縁部１２２及びフランジ部１１１のフランジ縁部１１１ａに固定されている。
【００２１】
樹脂リベット２４は、リベットの一種であり、プッシュリベットとも呼ばれる汎用の固定用の部材である。
樹脂リベット２４は、ピンを押し込むことにより対象物に取り付けができる、さらにピンを押し込むことにより、対象物から取り外しができる。この樹脂リベット２４は、脱着が容易で、抜去力が高く、しかも、取り付け状態でぐらつきがないという利点がある。
本実施形態では、半円弧状の指掛け部２３の周方向の両端部を、樹脂リベット２４により天板部１２及びフランジ部１１１に固定している。
【００２２】
本実施形態によれば、前述の実施形態１の効果に加えて、以下の効果を奏することができる。
本実施形態によれば、指掛け部２３を樹脂リベット２４により固定するので、指掛け部２３の天板部１２への取り付けが容易となる。
また、指掛け部２３を接着剤で固定した場合には、一升瓶の低温保存時の接着剤の劣化が課題であり、使用可能な接着剤が限られる。しかし、本実施形態では樹脂リベットで指掛け部２３を固定するので、接着剤に比べて耐寒性等を有する樹脂リベット用の樹脂の選択の幅が広いという利点がある。
【００２３】
なお、本実施形態では固定部の一例として、着脱可能な樹脂リベット２４（プッシュリベット）を挙げて説明したが、樹脂製のビスや一般的なリベットであってもよいし、金属製のビスやリベットを用いてもよい。
また、指掛け部２３は、半円弧状に限らず、例えば円環状としてもよいし、その周方向の寸法は限定しない。
【００２４】
（第３実施形態）
図５及び図６は、本考案による一升瓶の栓の第３実施形態を示す図である。
第３実施形態の一升瓶の栓３０では、図５及び図６に示すように、指掛け部３３が、縁部１２２の上に固定されるリング状の取り付け部３３１と、取り付け部３３１の一部から一升瓶４０の首部４２側に延出する延出部３３２を有している。この延出部３３２は、取り付け部３３１とは反対側の先端に開口を有するリング状部３３２ａを有している。
取り付け部３３１の縁部１２２への固定方法は、接着剤層１４による接合としてもよいし、リベット等よる固定としてもよい。
このリング状部３３２ａの開口は、指先等を挿入可能な大きさを有している。
指掛け部３３の延出部３３２及びリング状部３３２ａは、図５に示すように、未開封時に栓３０及び瓶口４１を保護するように被覆する冠頭４３内に収まる大きさ及び薄さで形成されている。
開栓時には、リング状部３３２ａの開口に指を掛けて引っ張り上げることにより、容易に開栓できる。
【００２５】
本実施形態によれば、指掛け部３３は、リング状部３３２ａを有する延出部３３２を備えているので、リング状部３３２ａの開口に指を掛けやすく、また、リング状部３３２ａを摘まみやすいので、より容易に開栓できる。また、延出部３３２及びリング状部３３２ａを、より指が掛けやすい形状、引き抜きやすい形状となるように、より自由に設計することもできる。
しかも、本実施形態によれば、延出部３３２及びリング状部３３２ａは、冠頭４３に覆われる大きさであるので、外観を損なうことがない。
【００２６】
（変形形態）
以上説明した各実施形態に限定されることなく、種々の変形や変更が可能であって、それらも本考案の範囲内である。
（１）一升瓶４０は、日本酒に限らず、焼酎等の他の酒類や、みりん、醤油等の調味料等、他の液体を入れるものとしてもよい。
（２）天板部１２は、樹脂製としてもよい。このような形態とすることにより、天板部１２に錆が生じないという効果が得られる。また、この場合、スポット部１５は、接液側から順に、ＰＥＴ層、ＰＥ層を積層した樹脂製のものとすると、栓１０，２０，３０のリサイクルも容易となり、資源の有効利用に効果的である。
（３）第１実施形態において、指掛け部１３を天板部１２の縁部１２２に固定する固定部として、接着剤層１４を挙げて説明したが、これに限らず、第２実施形態に示したような樹脂リベット２４等を用いて縁部１２２に固定してもよいし、接着剤層１４と樹脂リベット２４とを組み合わせて接合してもよい。
また、第２実施形態の指掛け部２３、第３実施形態の指掛け部３３においても、指掛け部２３，３３を固定する強度向上等が必要な場合には、接着剤層１４と樹脂リベット２４とを組み合わせて、指掛け部２３，３３を天板部１２の縁部１２２に固定してもよい。
【００２７】
なお、各実施形態及び変形形態は、適宜組み合わせて用いることもできるが、詳細な説明は省略する。また、本考案は、以上説明した実施形態等によって限定されることはない。
【符号の説明】
【００２８】
１０，２０，３０  栓
１１  栓本体
１２  天板部
１３，２３，３３  指掛け部
１４  接着剤
１５  スポット部
２４  樹脂リベット
４０  一升瓶
４１  瓶口
４３  冠頭
【図１】
0003202155.tif 000003
【図２】
0003202155.tif 000004
【図３】
0003202155.tif 000005
【図４】
0003202155.tif 000006
【図５】
0003202155.tif 000007
【図６】
0003202155.tif 000008
【図７】
0003202155.tif 000009